(57)【特許請求の範囲】
【請求項１】
コイル状トイレットペーパー等の巻紙を、軸を水平に積み重ねて複数個を保管する縦長箱状の巻紙保管箱に於いて、底板の前面側を伸長した側面Ｕ字状のＵ字型底板２とし、そのＵ字型底板の下側に底板回動軸４を持ち、回動可能なＵ字型底板２は巻紙保管時に、前端が箱の前面板下部６の外側に面し、且つ後端部７は箱の背面板８の内側に面し、巻紙取出時、底板先端部３を手前側に引くと、底板回動軸４で底板が前傾し、巻紙取出口が大きく開き、最下部に保管された巻紙一個を取り出せ、その時に底板後端部７は、最下部巻紙と
、その直上の巻紙との間に滑り込み、その直上にある複数個の巻紙を下支えして最下部の巻紙を、回転、及び、取り出し可能に隔離するとともに、前記底板２の先端部３の両側に回動軸１７を設ける事によって巻紙を覆う中蓋１６の左右両端基部を回動可能に取り付け
、中蓋１６の先端は前記前面板下部６に面し、且つ先端に巻紙の取出し用の切欠部１８をつけ、前面板５に回動軸２５を設けて上下に開閉する巻紙切取蓋１９の左右の基部を回動可能に取り付け、中蓋１６の上面に引き出した巻紙端末を、巻紙切取蓋１９の先端に設けられた巻紙切取部２１で挟持して必要量を切り取れる様にした事を特徴とする巻紙保管箱。
【請求項２】
コイル状トイレットペーパー等の巻紙を、軸を水平に積み重ねて複数個を保管する縦長箱状の巻紙保管箱に於いて、底板の前面側を伸長した側面Ｕ字状のＵ字型底板２とし、そのＵ字型底板の下側に底板回動軸４を持ち、回動可能なＵ字型底板２は巻紙保管時に、前端が箱の前面板下端部６の外側に面し、且つ後端部７は箱の背面板８の内側に面し、巻紙取出時、底板先端部３を手前側に引くと、底板回動軸４で底板が前傾し、巻紙取出口が大きく開き、最下部に保管された巻紙一個を取り出せ、その時に底板後端部７は、最下部巻紙と、その直上の巻紙との間に滑り込み、その直上にある複数個の巻紙を下支えして最下部の巻紙を、回転、及び、取り出し可能に隔離するとともに、前記底板２の先端部３の両側に回動軸ピン１７を設ける事によって巻紙を覆う中蓋１６の左右両端基部を回動可能に取り付け、中蓋１６の先端は前記前面板６に面し、且つ先端に巻紙の取出し用の切欠部１８をつけ、前面板５に切取蓋回動軸２５を設けて上下に開閉する巻紙切取蓋１９の左右の基部を回動可能に取り付け、中蓋１６の上面に引き出した巻紙端末を、巻紙切取部２１で挟持して必要量を切り取れるようにし、概略コの字状で中心部につまみ２６を有し、且つ左右先端部を内側に直角に曲げた切取蓋挟持枠２４は、左右の側面板の切取蓋挟持枠回動軸２７に嵌め込み、巻紙切取りの位置に合わせて切取蓋１９の上面に係止せしめて、中蓋１６の上面で切取蓋１９を固定して巻紙を切り取り、つまみ２６を上方に押し上げて切取蓋を解放して、巻紙が引き出せる事を特徴とする巻紙保管箱。
【発明の詳細な説明】
【技術分野】
【０００１】
本発明はロール状に巻かれたトイレット等の巻紙保管箱に関する。
【背景技術】
【０００２】
従来、トイレットペーパー等の巻紙を、複数個軸を横にして容器内に積み重ねるように保管し、背面側の常時前面側に押圧するストッパーで、次の巻紙から上のものを、最下部の巻紙が回転引き出せるように隔離し、使用量を切り取るもの（例えば特許文献１）がある。
【０００３】
トイレットペーパー等の巻紙を、複数個軸を横にして容器内に積み重ねるように保管し
、且つ消費者が容易に組み立てる事が可能で、左右側板の開口部に桟を通して最下部の巻紙を隔離し、巻紙端末を回転引出して使用量を切り取れるもの（例えば特許文献２）がある。
【０００４】
トイレットペーパー巻紙を、単数装着し、引出した巻紙の必要量を片手のみで切り取れるもの（例えば特許文献３）がある。
【０００５】
【特許文献１】実開平７−３０８８７号公報（図１）
【特許文献２】特開２００２−１２０８３０号公報（図１３）
【特許文献３】特開２０００−２１７７３８号公報（図１）
【発明の開示】
【発明が解決しようとする課題】
【０００６】
前述の特許文献１の、トイレットペーパーホルダーは、取り出し口を小さくして、ペーパーを使い切った後の、細くなった軸心だけを狭い引出し口から取り去るものであって、封切り前、及び、使用初期の太いままの巻紙を直接取り出せない様にしたもので、公衆便所等で盗難防止に有効ではあるが、一般家庭の補充用の巻紙保管箱では、狭い引出し口の中に指を差し込み、封印された巻紙の開封が難しく、且つ誤って巻紙を逆向きに投入されたものがあると、困却する。
【０００７】
次ぎに、特許文献２に於いては、使用者が組み立てて使用することを主目的としたものであり、第一から第五までの実施様態はその組み立て方であり、特許文献１の図９は、ギザの付いたカッターが完全に露出して居り、巻紙開封時手指が危険である。
【０００８】
特許文献２の、図８，以下、１３図迄のストッパーは、最下部の巻紙を取り出す為に、上に重ねた複数個の巻紙の重量が架かるので取り出し難い、それを防ぐために左右の側面板に孔を穿ち、最下部巻紙の直上にある次の巻紙との間に、ストッパー桟を差し入れて隔離する方法であるが、最下部の巻紙が使用する為に引き出される時、回転するのを妨げないように、上から順次落ちてくる次の巻紙との間にストッパーを差し込む為には、上にある全部の巻紙を下から持ち上げ、ストッパーを差し込むので、かなり面倒である。
【０００９】
特許文献３の巻紙端末を直接引出して切り取る保持具として使用する場合は、本人出願の特開２０００−２１７７３８号にあるように、Ｕ字型底板を持つ巻紙保持具の前面上部に中蓋を回動可能に蝶着し、その中蓋を手前側に開いて巻紙を装置し、巻紙端末を上方に引き出してから中蓋を閉じて、その上に巻紙端末を這わせるようにのばし、必要量を引き出した後、それを切り取る背面板上部に回動可能に蝶着された上蓋で、巻紙切取り部を中蓋の上で挟み、上蓋の尾端をカムで押し上げて固定し、巻紙を必要量切り取るものも提供してあった、しかしこれは複数の補充用の巻紙を持つ保管箱には対応できない。
【課題を解決するための手段】
【００１０】
本発明の請求項１，請求項２の技術的解決は、次のような手段をとることによって解決される。本発明の図１は、透明斜視図、図２は正面図でＡ−Ａ｀はその断面線、図３は側面断面図で、複数の巻紙を下から順次、１Ａ、１Ｂ，１Ｃ，１Ｄ、と表示し、以下、図３、図４、図５，図６，図７で請求項１を説明する。
【００１１】
請求項１のコイル状トイレットペーパー等の巻紙を、軸を水平に積み重ねる巻紙保管箱の、図１は斜視図、図２は正面図で、A-A`は断面線を表示する。図３は側面断面図である、巻紙を下から順次、１Ａ，１Ｂ，１Ｃ，１Ｄ，と、複数個を保管する縦長箱状の巻紙保管箱に於いて、底板の前面側を伸長した側面Ｕ字状のＵ字型底板２、とし、そのＵ字型底板２、の下に前傾する底板回動軸４、を持つ、回動可能なＵ字型底板２、は巻紙保管時には、前端が前面板下端部６、の外側に面し、底板後端部７、は背面板８，の内側に面する。巻紙取出時、底板先端部３，を手前側に引くと、図４、の如く底板回動軸４，で底板が前傾し、巻紙取出口が大きく開き、最下部に保管された巻紙、１Aを,一個取出せる、その時に底板後端部７，は、最下部巻紙１A,と、その直上の巻紙１B,との間に滑り込み、上にある複数個の巻紙を下支えして最下部の巻紙１A,を、回転、及び、取出し可能に隔離する事、及び、図５、図６、図７で表示した、側面断面の部分図と、切取蓋の分解平面図と蝶番ピン、及び、中蓋の分解平面図と蝶番ピンによって、前傾開口した底板先端部３，の両側に中蓋蝶番ピン１７を設け、中蓋左右両側基部のピン１７を蝶番として巻紙を覆う様に開閉可能に蝶着し、閉じた中蓋先端２３は前面板５の下部６に面し、且つ先端縁に中蓋切欠部１８を設けて前面板下部６との間に巻紙端末２２を前上方に引出して置く、次ぎに左右側面板９及び１０の前面に蝶軸２４を設け、上下に開閉する巻紙切取蓋１９の左右の基部に切取蓋回動軸ピン２０を設けて上下開閉可能に蝶着し、中蓋１６上面へ引き出した巻紙端末を切取蓋１９先端の切取り部２１で挟持して必要量を引出して切り取る事を特徴とする、請求項１記載の巻紙保管箱で解決した。
【００１２】
請求項２は、図１、及び図８、図９、図１０、図１１、図１３で説明する。
請求項１で記載した巻紙保管箱の左右の側面板９，１０に、概略コの字状で中心部につまみ２６を設け、先端部を内側に直角に曲げた針金状の切取蓋挟持枠２４を、左右の側面板９，１０に設けた左右の切取蓋挟持枠軸孔２７に嵌め込む、中蓋１６，切取蓋１９を閉じた状態で、切取蓋挟枠つまみ２６を手前に引くと切取蓋１９上面の斜面を摺動して中蓋１６の上面に切取蓋１９はロックされ引出された巻紙２２，の必要量を挟持して切取部２１，で切り取り、切取蓋挟持枠２４を上方に押し上げて切取蓋１９を解放すれば、次ぎの必要量をひきだせる、請求項２記載の巻紙保管箱で解決した。
【発明の効果】
【００１３】
本発明の巻紙保管箱は、保管時、上蓋１３と、Ｕ字型底板２によって外部からの汚れ、水滴、埃から遮断され、極めて衛生的であり、最下部の巻紙１個を簡単、確実に取り出すことが可能で、しかも取り出し状態の時何の別動作も必要とせずに巻紙は、回転、端末引出しが可能であり、巻紙の中途補充も何らの支障なく、最下部の巻紙が上部の重みで意図せずに押し出される事もない。尚、公衆便所等で開封前の巻紙盗難防止には、補充の方向を過たず、底板ストッパー１２を少し上に位置させれば、開口部が狭くなり、未使用の太い巻紙は取り出せず、上蓋１３の施錠と相まって盗難も防止出来ると共に、図５、図６、図７に図示した簡単な部品を付加した事によって、別の巻紙ホルダーを必要とせず、巻紙を切り取る事が可能で、しかも巻紙切取り端末が必ず中蓋の上にあるので、次ぎに摘み出す事が簡単であり、通常の、切取り蓋が巻紙の直接上にあるのと違い、端末を探して巻紙表面をなで回される事もない、尚、軸心を必要としない回転引出し方法で、コアレスの巻紙にも対応し、廃棄するコアを残さず、省資源化可能である。
【００１４】
請求項２は、請求項１の機能構造をそのままに、図８、図９、図１０、図１１に図示した如く、切取蓋挟持枠２４の簡単な部品を付加して切取蓋１９の上面に係止する事で、片手しか使えない人に確実に使用量を切り取れ、切取蓋挟持枠２４のつまみ２６を上方に押し上げれば切取蓋１９は解放され、巻紙が引き出せる機能を追加出来る。
【００１５】
該保管箱は、図１の如く、前面板の一部を切り抜くか、透明板にすれば花鳥、風月、地域産物、史跡等の彩色を施すと、巻紙を取出すたびに上から順次巻紙の反射を失って暗転し、あたかも花が散り、壇ノ浦の扇の的が落ちるような演出が可能で、土産もの等、地域町おこし事業等にも貢献し、しかも、巻紙残量を外から視認する事が出来る。
【発明を実施するための最良の形態】
【００１６】
コイル状トイレットペーパー等の巻紙を、軸を水平に積み重ねる巻紙保管箱の、図１は斜視図、図２は正面図で、Ａ−Ａ｀は断面線を表示する。図３は側面断面図である、巻紙を下から順次、１Ａ，１Ｂ，１Ｃ，１Ｄ，と、複数個を保管する縦長箱状の巻紙保管箱に於いて、底板の前面側を伸長した側面Ｕ字状のＵ字型底板２、とし、そのＵ字型底板２、の下に前傾する底板回動軸４、を持つ、回動可能なＵ字型底板２、は巻紙保管時には、前端が前面板下端部６、の外側に面し、底板後端部７、は背面板８，の内側に面する。巻紙取出時、底板先端部３，を手前側に引くと、図４、の如く底板回動軸４，で底板が前傾し、巻紙取出口が大きく開き、最下部に保管された巻紙、１Aを,一個取出せる、その時に底板後端部７，は、最下部巻紙、１A,と、その直上の巻紙、１B,との間に滑り込み、上にある複数個の巻紙を下支えして最下部の巻紙、１A,を、回転、及び、取出し可能に隔離する事
、及び、図５、図６、図７で表示した、側面断面の部分図と、切取り蓋の分解平面図と蝶番ピン、及び、中蓋の分解平面図と蝶番ピンによって、前傾開口した底板先端部３，の両側に中蓋蝶番ピン１７を設け、中蓋左右両側基部のピン１７を蝶番として巻紙を覆う様に開閉可能に蝶着し、閉じた中蓋先端２３は前面板５の下部６に面し、且つ先端縁に中蓋切欠部１８を設けて前面板下部６との間に巻紙端末２２を前上方に引出して置く、次ぎに左右側面板９及び１０の前面に蝶軸２４を設け、上下に開閉する巻紙切取蓋１９の左右の基部に切取蓋蝶番ピン２０を設けて上下開閉可能に蝶着し、中蓋１６上面へ引き出した巻紙端末を切取蓋１９先端の切取り部２１で挟持して必要量を引出して切り取る事。
【００１７】
前項に記載した、巻紙保管箱に、図１、及び図８、図９、図１０、図１１、で説明する。
請求項１で記載した巻紙保管箱の左右の側面板９，１０に、概略コの字状で中心部につまみ２６を設け、先端部を内側に直角に曲げた針金状の切取蓋挟持枠２４を、左右の側面板９，１０に設けた左右の切取蓋挟持枠軸孔２７に嵌め込む、中蓋１６、切取蓋１９を閉じた状態で、切取蓋挟枠つまみ２６を手前に引くと切取蓋１９上面の斜面を摺動して中蓋１６の上面に切取蓋はロックされ引出された巻紙２２，の必要量を挟持して切取部２１，で切り取り、上方に押し上げて切取蓋１９を解放すれば、次ぎの必要量をひきだせる、請求項１記載の巻紙保管箱で解決した。
【実施例】
【００１８】
前述の発明を実施する最良の形態に同じ。
【図面の簡単な説明】
【００１９】
【図１】本発明の巻紙保管箱の斜視図で一部は透明で表示し、Ｕ字型底板を前傾開口した図。
【００２０】
【図２】本発明の巻紙保管箱の正面図でＡ−Ａは断面線を表示する。
【００２１】
【図３】本発明の巻紙保管箱のＡ−Ａ側面断面図でＵ字型底板を閉じた図、巻紙は断面しない。
【００２２】
【図４】本発明の巻紙保管箱の側面断面図で、Ｕ字型底板を手前側に開き、Ｕ字型底板後端部が、それより上の巻紙の重量を下支えして最下部１個の巻紙が回動、且つ取り出せる図。
【００２３】
【図５】本発明の側面断面拡大図で、巻紙保管箱を、直接引き出せる巻紙保持具としての使用時、巻紙端末を引出し、中蓋、切取り蓋を閉じた図。
【００２４】
【図６】本発明の巻紙保管箱を、前述の巻紙保持具としての使用時、付加する切取り蓋及び取り付け回動軸になるピンの平面図。
【００２５】
【図７】本発明の巻紙保管箱を、前述の巻紙保持具としての使用時、付加する、中蓋及び取り付け回動軸になるピンの平面図。
【００２６】
【図８】本発明の前述の巻紙保持具としての使用時、切取り蓋を挟持する、切取り蓋挟持枠。
【００２７】
【図９】本発明の前述の巻紙保持具としての使用時、切取り蓋を上に開き、中蓋を手前側の下に開き、切取り蓋挟持枠を上に開いた図、切取り蓋挟持枠は断面しない。
【００２８】
【図１０】本発明の前述の巻紙保持具としての使用時の正面拡大図で、切取り蓋を挟持した。図。
【００２９】
【図１１】本発明の前述の巻紙保持具としての使用時の側面断面拡大図で、切取り蓋を、切取り蓋挟持枠で、挟持した図。
【００３０】
【図１２】本発明の巻紙保持具としての使用時の左側面断面拡大図で、１個の切取り蓋と、底板に設けた切取り台で、片手のみで切取り蓋上面に沿って使用量を切り取れる図。
【００３１】
【図１３】本発明の図１２の左側面図。
【００３２】
【図１４】図１２、図１３の切取り蓋の拡大図。
【符号の説明】
【００３３】
１、    １Ａ，１Ｂ，１Ｃ，１Ｄ，１Ｅ、は巻紙を表示。
２、    Ｕ字型底板。
３、    底板先端部。
４、    底板回動軸。
５、    前面板。
６、    前面板下端部。
７、    底板後端部。
８、    背面板。
９、    左側面板。
１０、  右側面板。
１１、  左底板回動ストッパー。
１２、  右底板回動ストッパー。
１３、  上蓋。
１４、  上蓋回動軸。
１５、  コア。
１６、  中蓋。
１７、  中蓋回動軸ピン。
１８、  中蓋切欠部。
１９、  切取蓋。
２０、  切取蓋回動軸ピン。
２１、  巻紙切取部。
２２、  巻紙端末。
２３、  中蓋先端部。
２４、  切取蓋挟持枠。
２５、  切取蓋回動軸。
２６、  切取蓋挟持枠つまみ。
２７、  切取蓋挟持枠回動軸。
２８、  底板先端部切取り台。
２９、  切取り蓋切取り部。
３０、  切取り蓋回動軸。
３１、  切取り蓋。
【図１】
0004822160.tif 000002
【図２】
0004822160.tif 000003
【図３】
0004822160.tif 000004
【図４】
0004822160.tif 000005
【図５】
0004822160.tif 000006
【図６】
0004822160.tif 000007
【図７】
0004822160.tif 000008
【図８】
0004822160.tif 000009
【図９】
0004822160.tif 000010
【図１０】
0004822160.tif 000011
【図１１】
0004822160.tif 000012
【図１２】
0004822160.tif 000013
【図１３】
0004822160.tif 000014
【図１４】
0004822160.tif 000015